(57)【要約】【課題】受信感度のよいアンテナからの復調前の信号の利用効率を高めた上に、さらに複数の系統からのフーリエ変換後の信号を最大比合成することを可能としたデジタルデータ受信機を提供することを目的とする。【解決手段】第１減衰器（１０）と、第２減衰器（１２）と、第３減衰器（１４）と、第４減衰器（１６）と、第１減衰器から出力される第１信号と第２減衰器から出力される第２信号を合成する第１合成部（２０）と、第３減衰器から出力される第３信号と第４減衰器から出力される第４信号を第２合成する合成部（２２）と、第１合成部からの信号と第２合成部からの信号とを合成するダイバーシチ部（４０）と、第１減衰器の減衰率、第２減衰器の減衰率、第３減衰器の減衰率又は第４減衰器の減衰率を徐々に変化させる制御を行う制御部（９０）を有するデジタルデータ受信機（１００）。【選択図】図１
2007166188.tif 000002
【特許請求の範囲】
【請求項１】
デジタルデータ受信機において、
第１のアンテナからの受信信号を減衰させるための第１減衰器と、
第２のアンテナからの受信信号を減衰させるための第２減衰器と、
第３のアンテナからの受信信号を減衰させるための第３減衰器と、
第４のアンテナからの受信信号を減衰させるための第４減衰器と、
前記第１減衰器から出力される第１信号と前記第２減衰器から出力される第２信号を合成する第１合成部と、
前記第３減衰器から出力される第３信号と前記第４減衰器から出力される第４信号を第２合成する合成部と、
第１合成部からの信号と第２合成部からの信号とを合成するダイバーシチ部と、
前記第１減衰器の減衰率、前記第２減衰器の減衰率、前記第３減衰器の減衰率又は第４減衰器の減衰率を徐々に変化させる制御を行う制御部と、
を有することを特徴とするデジタルデータ受信機。
【請求項２】
前記ダイバーシチ部は、第１合成部からの信号と第２合成部からの信号とを合成する第１モードと、第１合成部からの信号と第２合成部からの信号とを合成せずにそれぞれ出力する第２モードを有する、請求項１に記載のデジタルデータ受信機。
【請求項３】
前記第１合成部から出力される信号の信号レベルを検知する第１検知部と、前記第２合成部から出力される信号の信号レベルを検知する第２検知部をさらに有し、
前記制御部は、前記第１又は第２検知部の検知結果に基づいて前記ダイバーシチ部における前記第１及び第２モードの切換制御を行う、請求項２に記載のデジタルデータ受信機。
【請求項４】
前記ダイバーシチ部に出力される信号を復調し、信号状態を検知する復調部をさらに有し、
前記制御部は、前記復調部における信号状態の検知結果に基づいて前記ダイバーシチ部における前記第１及び第２モードの切換制御を行う、請求項２に記載のデジタルデータ受信機。
【請求項５】
ユーザ設定部をさらに有し、
前記制御部は、前記ユーザ設定部における設定状態に基づいて前記ダイバーシチ部における前記第１及び第２モードの切換制御を行う、請求項２に記載のデジタルデータ受信機。
【請求項６】
前記デジタルデータ受信機に接続される表示部の数を検知する表示部数検知部をさらに有し、
前記制御部は、前記表示部数検知部における検知結果に基づいて前記ダイバーシチ部における前記第１及び第２モードの切換制御を行う、請求項２に記載のデジタルデータ受信機。
【請求項７】
前記デジタルデータ受信機に接続される表示部の内、表示可能な表示部を検知する表示可能表示部検知部をさらに有し、
前記制御部は、前記表示可能表示部検知部における検知結果に基づいて前記ダイバーシチ部における前記第１及び第２モードの切換制御を行う、請求項２に記載のデジタルデータ受信機。
【請求項８】
前記第１合成部からの信号に基づく第１表示画像と前記第２合成部からの信号に基づく第２表示画像とを１つの表示部に合成して表示させるための合成処理部をさらに有する、請求項２〜７の何れか一項に記載のデジタルデータ受信機。
【請求項９】
前記合成処理部は、第１表示画像と第２表示画像を、複数の視方向に対する個別の表示画像を同一画面上に表示可能な表示部に表示させる、請求項８に記載のデジタルデータ受信機。
【請求項１０】
前記第１合成部及び前記第２合成部の何れか一方からの信号に基づく表示画像を表示部に表示させ、前記第１合成部及び前記第２合成部の他方からの信号に基づく表示画像を録画する録画部をさらに有する、請求項２〜９の何れか一項に記載のデジタルデータ受信機。
【請求項１１】
前記ダイバーシチ部における第１モードでは、前記第１合成部からの信号と前記第２合成部からの信号との最大比合成を行う、請求項２〜１０の何れか一項に記載のデジタルデータ受信機。
【発明の詳細な説明】
【技術分野】
【０００１】
本発明は、複数のアンテナからの受信信号を利用するデジタル放送受信機等のデジタルデータ受信機に関するものである。
【背景技術】
【０００２】
複数のアンテナを定期的に切り換えて、一番受信レベルの高いアンテナを受信に利用するアナログ放送受信装置が知られている。アナログ放送では、垂直同期信号によって画像フレーム間の区切りを見つけることができるため、垂直帰還のための期間中にアンテナを切り換えて、画像フレームに乱れが生じないようにしていた。しかしながら、デジタル放送では、受信データがＯＦＤＭ復調され、構成し直されること等からフレーム毎のタイミングを復調前に見つけることは困難であり、アナログ放送で利用されていた手法をデジタル放送に転用することは困難であった。
【０００３】
また、チューナ部と復調部の組み合わせを２系統有し、ダイバーシチ合成部で復調された２系統からの信号を合成して１つの表示部に出力するデジタル放送受信装置が知られている（例えば、特許文献１）。
【０００４】
さらに、チューナ部と復調部の組み合わせを２系統有し、２つの系統からの信号をそれぞれ個別に出力するダブルチューナ受信モードと２つの系統からの信号を合成して出力するダイバーシティ受信モードを受信状態に応じて切り換えるデジタル放送受信装置が知られている（例えば、特許文献２）。
【０００５】
さらに、チューナ部と復調部の組み合わせを２系統有し、一方の系統で番組を視聴しつつ、他方の系統で記録メディアに記録することを可能とするデジタル放送受信装置が知られている（特許文献３）。
【０００６】
【特許文献１】特開２００５−１１７２２６号公報（図１）
【特許文献２】特開２００４−３４３２１０号公報（図１）
【特許文献３】特開２００３−１２５３０２号公報（第３頁）
【発明の開示】
【発明が解決しようとする課題】
【０００７】
しかしながら、従来例では、受信感度のよいアンテナからの復調前の信号の利用効率を高めようとすることは考慮されていなかった。
【０００８】
そこで、本発明は、受信感度のよいアンテナからの復調前の信号の利用効率を高めることを可能としたデジタル放送受信装置を提供することを目的とする。
【０００９】
さらに、本発明は、受信感度のよいアンテナからの復調前の信号の利用効率を高めた上に、さらに複数の系統からのフーリエ変換後の信号を最大比合成することを可能としたデジタル放送受信装置を提供することを目的とする。
【課題を解決するための手段】
【００１０】
本発明に係るデジタルデータ受信機は、第１のアンテナからの受信信号を減衰させるための第１減衰器と、第２のアンテナからの受信信号を減衰させるための第２減衰器と、第３のアンテナからの受信信号を減衰させるための第３減衰器と、第４のアンテナからの受信信号を減衰させるための第４減衰器と、第１減衰器から出力される第１信号と第２減衰器から出力される第２信号を合成する第１合成部と、第３減衰器から出力される第３信号と第４減衰器から出力される第４信号を第２合成する合成部と、第１合成部からの信号と第２合成部からの信号とを合成するダイバーシチ部と、第１減衰器の減衰率、第２減衰器の減衰率、第３減衰器の減衰率又は第４減衰器の減衰率を徐々に変化させる制御を行う制御部を有することを特徴とする。
【００１１】
さらに、本発明に係るデジタルデータ受信機では、ダイバーシチ部は、第１合成部からの信号と第２合成部からの信号とを合成する第１モードと、第１合成部からの信号と第２合成部からの信号とを合成せずにそれぞれ出力する第２モードを有することが好ましい。状況に応じて、合成を行う第１モードと合成を行わない第２モードを利用できるように構成した。
【００１２】
さらに、本発明に係るデジタルデータ受信機では、第１合成部から出力される信号の信号レベルを検知する第１検知部と、第２合成部から出力される信号の信号レベルを検知する第２検知部をさらに有し、制御部は、第１又は第２検知部の検知結果に基づいてダイバーシチ部における第１及び第２モードの切換制御を行うことが好ましい。信号レベルに応じて、合成を行う第１モードと合成を行わない第２モードの切換制御を行うように構成した。
【００１３】
さらに、本発明に係るデジタルデータ受信機では、ダイバーシチ部に出力される信号を復調し、信号状態を検知する復調部をさらに有し、制御部は、復調部における信号状態の検知結果に基づいてダイバーシチ部における第１及び第２モードの切換制御を行うことが好ましく、復調部における信号状態の検知は、訂正エラー信号、ＢＥＲ信号又はＣＮＲ信号に基づいて行うことが好ましい。復調部における信号状態の検知に応じて、合成を行う第１モードと合成を行わない第２モードの切換制御を行うように構成した。
【００１４】
さらに、本発明に係るデジタルデータ受信機では、ユーザ設定部をさらに有し、制御部は、ユーザ設定部における設定状態に基づいてダイバーシチ部における第１及び第２モードの切換制御を行うことが好ましい。合成を行う第１モードと合成を行わない第２モードとをユーザが強制的に設定できるように構成した。
【００１５】
さらに、本発明に係るデジタルデータ受信機では、デジタルデータ受信機に接続される表示部の数を検知する表示部数検知部をさらに有し、制御部は、表示部数検知部における検知結果に基づいてダイバーシチ部における第１及び第２モードの切換制御を行うことが好ましい。接続されている表示部の数に応じて、合成を行う第１モードと合成を行わない第２モードの切換制御を行うように構成した。
【００１６】
さらに、本発明に係るデジタルデータ受信機では、デジタルデータ受信機に接続される表示部の内、表示可能な表示部を検知する表示可能表示部検知部をさらに有し、制御部は、表示可能表示部検知部における検知結果に基づいてダイバーシチ部における第１及び第２モードの切換制御を行うことが好ましい。表示可能な表示部に応じて、合成を行う第１モードと合成を行わない第２モードの切換制御を行うように構成した。
【００１７】
さらに、本発明に係るデジタルデータ受信機では、第１合成部からの信号に基づく第１表示画像と第２合成部からの信号に基づく第２表示画像とを１つの表示部に合成して表示させるための合成処理部をさらに有することが好ましい。２つの表示画像を横に並べて表示したり、１つの表示画像の中に他方を縮小して表示させたりできる構成とした。
【００１８】
さらに、本発明に係るデジタルデータ受信機では、合成処理部は、第１表示画像と第２表示画像を、複数の視方向に対する個別の表示画像を同一画面上に表示可能な表示部に表示させることが好ましい。所謂、デュアルビュー表示装置に２つの表示画像を表示する構成とした。
【００１９】
さらに、本発明に係るデジタルデータ受信機では、第１合成部及び第２合成部の何れか一方からの信号に基づく表示画像を表示部に表示させ、第１合成部及び第２合成部の他方からの信号に基づく表示画像を録画する録画部をさらに有することが好ましい。２系統の内の１系統を用いて、録画記録できるように構成した。
【００２０】
さらに、本発明に係るデジタルデータ受信機では、ダイバーシチ部における第１モードでは、第１合成部からの信号と第２合成部からの信号との最大比合成を行うことが好ましい。２系統の信号を最大値合成することによって、受信感度を上げることができる構成とした。
【発明の効果】
【００２１】
本発明に係るデジタルデータ受信機によれば、受信感度のよいアンテナからの復調前の信号の利用効率を高めることができるので、良好な表示画像を得ることができるようになった。
【００２２】
さらに、ダイバーシチ部における合成を行う場合には、受信感度のよいアンテナからの復調前の信号の利用効率を高めた上に、さらに受信感度を上げることが可能となった。
【発明を実施するための最良の形態】
【００２３】
以下図面を参照して、本発明に係るデジタルデータ（放送）受信機について説明する。
【００２４】
図１は、本発明に係わるデジタルデータ受信機１００の概要を示すブロック図である。
【００２５】
以下、本発明に係るデジタルデータ受信機１００を、車に搭載した場合について説明するが、本発明に係るデジタルデータ受信機１００は、車載用に限定的に利用されるものではなく、他の用途、例えば、住宅用や他の移動手段にも適用可能である。
【００２６】
デジタルデータ受信機１００は、第１減衰器１０、第２減衰器１２、第３減衰器１４、第４減衰器１６、第１合成部２０、第２合成部２２、第１ＲＦ（Radio Frequency）/ＩＦ（Intermediate Frequency）処理部３０、第１レベル検知部３１、第１ＦＦＴ（Fast Fourier Transform）部３２、第２ＲＦ（Radio Frequency）/ＩＦ（Intermediate Frequency）処理部３５、第２レベル検知部３６、第２ＦＦＴ（Fast Fourier Transform）部３７、ダイバーシチ部４０、第１ＯＦＤＭ（Orthogonal Frequency Division Multiplexing）復調部５０、第１デコーダ部５１、第２ＯＦＤＭ復調部５５、第２デコーダ部５６、分配回路６０、音声調整回路７０、第１画像調整回路７２、第２画像調整回路７４、画像出力部８０、デジタルデータ受信機１００は、制御部９０、記憶部９２、ＨＤＤ（ハードディスク・ドライブ）９４、Ｉ／Ｏ９６、及びシステムバス９８等を有している。
【００２７】
また、デジタルデータ受信機１００は、第１アンテナ１１０、第２アンテナ１１２、第３アンテナ１１４、第４アンテナ１１６、フロント表示部用スイッチ１２０、リア表示部用スイッチ１３０、デジタルデータ受信機１００が搭載される車両に搭載される車載スピーカ１６０、車両のフロントパネルに設けられたフロント表示部７、車両の後部座席用に設けられたリア表示部１８０及びリモコン１９０等と接続されている。なお、デジタルデータ受信機１００は、前述した第１〜第４アンテナ１１０〜１１６、フロント表示部用スイッチ１２０、リア表示部用スイッチ１３０、車載スピーカ１６０、フロント表示部７、リア表示部１８０及びリモコン１９０の何れか１つ又は複数を含むように、また何れか１つ又は複数に含まれるように構成されても良い。
【００２８】
第１〜第４アンテナ１１０〜１１６としては、あらゆるタイプのデジタル放送受信用の車載用アンテナ、例えば車両に用いられるフィルムタイプのアンテナを利用することができる。また、第１アンテナ１０及び第３アンテナ１４を車両のフロント側に配置し、第２アンテナ１２及び第４アンテナ１６を車両のリアウインド側に配置することが、常に良好な受信を維持し続ける上で好ましい。
【００２９】
また、デジタルデータ受信機１００は、フロント表示部７に設けたタッチパネル１７２、リア表示部１８０及び／又はリモコン１９０に設けられた各種入力装置（ボタン、タッチパネル等）からの操作入力によって制御されるように構成した。フロント表示部７は、複数の視方向に対する個別の表示画像を同一画面上に表示可能な所謂デュアルビュー表示装置として構成した。フロント表示部７の構成及び機能については後述する。
【００３０】
車体の異なった位置に取り付けられた第１及び第２アンテナ１１０及び１１２で受信された信号は、それぞれ第１減衰器１０及び第２減衰器１２を経て、第１合成部２０で合成されて、第１ＲＦ／ＩＦ処理部３１に入力される。第１ＲＦ／ＩＦ処理部３１では、選択されたチャネルに関る信号のみを抜き出して、第１レベル検出部３１及び第１ＦＦＴ部３２へ入力する。第１ＦＦＴ部３２でフーリエ変換された信号はダイバーシチ部４０へ入力される。なお、第１及び第２アンテナ１１０及び１１２で受信された信号を第１系統の信号と言う。
【００３１】
同様に、車体の異なった位置に取り付けられた第３及び第４アンテナ１１４及び１１６で受信された信号は、それぞれ第３減衰器１４及び第４減衰器１６を経て、第２合成部２２で合成されて、第２ＲＦ／ＩＦ処理部３５に入力される。第２ＲＦ／ＩＦ処理部３５では、選択されたチャネルに関する信号のみを抜き出して、第２レベル検出部３６及び第２ＦＦＴ部３７へ入力する。第２ＦＦＴ部３７でフーリエ変換された信号はダイバーシチ部４０へ入力される。なお、第３及び第４アンテナ１１４及び１１６で受信された信号を第２系統の信号と言う。
【００３２】
第１の減衰器１０〜第４の減衰器１６は、制御部９０からの制御信号に応じて、減衰率を可変できるように構成されている。
【００３３】
第１及び第２レベル検知部３１及び３６は、ＡＧＣ（Auto Gain Control）回路を内蔵し、受信信号を所望の受信レベルになるように、第１及び第２ＲＦ／ＩＦ処理部３０及び３５をフィードバック制御するための受信信号レベルを示す第１レベル信号（第１レベル検知部から出力）及び第２レベル信号（第２レベル検知部から出力）を、システムバス９８を介して制御部９０に送信する。即ち、制御部９０は、第１及び第２レベル信号によって、第１及び第２系統における受信状況を個別に知ることができる。
【００３４】
ダイバーシチ部４０は、第１ＦＦＴ部３２及び第２ＦＦＴ部３７からの出力信号を最大比合成して第１ＯＦＤＭ復調部５０へ出力すること、及び第１ＦＦＴ部３２からの出力をそのまま第１ＯＦＤＭ復調部５０へ且つ第２ＦＦＴ部３７からの出力をそのまま第２ＯＦＤＭ復調部５５へ出力することを、制御部９０からの制御信号に応じて切り換えて処理することができるように構成されている。ダイバーシチ部４０における最大比合成では、フーリエ変換された第１及び第２ＦＦＴ部からの信号を周波数毎に重み付けして合成し、最大比合成された信号を生成する。一般的に、最大比合成をすることによって、受信感度が３ｄＢアップする。
【００３５】
第１及び第２ＯＦＤＭ復調部５０及び５５では、入力された信号の同期処理、検波処理、誤り訂正処理等を行って、ＴＳ（Transport Stream）パケット信号を出力する。また、第１及び第２ＯＦＤＭ復調部５０及び５５から、誤り訂正処理によって誤り訂正を行うことができなかったことを示す訂正エラー信号（例えば、リードソロモン信号）を、システムバス９８を介して制御部９０に送信する。さらに、第１及び第２ＯＦＤＭ復調部５０及び５５は、ＴＳパケットのヘッダ部に含まれるＣＲＣ（Cyclic Redundancy Check）コードを利用して、伝送上のビット・エラーを検出し、予め定められた閾値をビット・エラーが超えた場合には、ＢＥＲ（Bit Error Ratio）信号を、システムバス９８を介して制御部９０に送信する。さらに、第１及び第２ＯＦＤＭ復調部５０及び５５は、ＣＮＲ（Carrier to Noise Ratio）が悪化した場合にＣＮＲ信号を、システムバス９８を介して制御部９０に送信する。即ち、制御部９０は、第１及び第２ＯＦＤＭ復調部５０及び５５から受信する、訂正エラー信号、ＢＥＲ信号、ＣＮＲ信号を受信した場合には、受信状況が悪いと判断することができる。
【００３６】
第１及び第２デコーダ部５１及び５６は、第１及び第２ＯＦＤＭ復調部５０及び５１からのＴＳパケット信号を音声及び映像用のパケット信号に分離して、それぞれに含まれるデータをデコードして、音声信号及び映像信号を生成し、分配回路６０に出力する。また、第１及び第２デコーダ５１及び５６では、デコード時にエラーが発生した場合に、デコードエラーが発生したことを示すデコードエラー信号をシステムバス９８を介して制御部９０へ送信する。制御部９０では、デコードエラー信号を受信した場合には、受信状況が悪いと判断することができる。
【００３７】
また、第１及び第２デコーダ部５１及び５６は、受信したＴＳパケットに含まれるデータをデコードして、ＥＰＧ（番組案内情報）データ等を生成し、システムバス９８を介して、制御部９０へ生成データを出力するように構成した。
【００３８】
分配回路６０は、フロント表示部７用及びリア表示部１８０用の音声ソースを生成し、音声調整回路７０へ出力する。また、分配回路６０は、フロント表示部７及びリア表示部１８０用の画像ソースを生成し、第１画像調整回路７２及び第２画像調整回路７４に出力する。
【００３９】
音声調整回路７０は、車載スピーカ１６０への分配や音量を調整し、調整された音声が、車載スピーカ１６０から出力される。車載スピーカ１６０は、１つでも、２個以上のスピーカであっても良く、４つ以上のスピーカが配置されていることがさらに好ましい。
【００４０】
第１及び第２画像調整回路７２及び７４は、輝度や色調、コントラストなどを調整し、調整された各画像を画像出力部８０によって、所謂デュアルビュー表示装置であるフロント表示部７及び通常の表示装置であるリア表示部１８０に表示させる。
【００４１】
制御部９０は、ＣＰＵ、ＲＡＭ及びＲＯＭ等を含んで構成され、予めインストールされているプログラムにしたがって動作し、システムバス９８と接続されている各要素の制御を行う。また、制御部９０は、第１及び第２レベル検知部３１及び３６からのレベル信号、第１及び第２ＯＦＤＭ復調部５０及び５５からの訂正エラー信号、ＢＥＲ信号及びＣＮＲ信号、第１及び第２デコーダ５１及び５６からのデコーダエラーを受信し、各信号の全て又は一部に基づいて最適な第１減衰器用１０の第１減衰率、第２減衰器用１２の第２減衰率、第３減衰器１４の第３減衰率及び第４減衰器１６の第４減衰率を決定し、第１減衰率、第２減衰率、第３減衰率及び第４減衰率に従って、第１減衰器１０、第２減衰器１２、第３減衰器１４及び第４減衰器１６を制御する。さらに、制御部９０は、第１及び第２レベル検知部３１及び３６からのレベル信号、第１及び第２ＯＦＤＭ復調部５０及び５５からの訂正エラー信号、ＢＥＲ信号及びＣＮＲ信号、第１及び第２デコーダ５１及び５６からのデコーダエラーを受信し、各信号の全て又は一部に基づいて、ダイバーシチ部４０を制御し、最大比合成を行うか、行わないかの切換制御を行う。
【００４２】
上記の例では、第１系統及び第２系統には、それぞれ２つのアンテナと接続された２つの減衰器を設けたが、２つに限定されることなく、３つ以上であっても良い、また、上記の例では、２つの系統のみを設けたが、２つに限定されることなく、３つ以上の系統を有していても良い。さらに、２つ以上の系統を有する場合には、何れか一方の系統は１つの減衰器のみで構成されても良い。
【００４３】
図２は、フロント表示部７の概念図である。
【００４４】
フロント表示部７は、所謂デュアルビュー表示装置として構成されている。図２に示すように、第１の画像ソース１を経て第１画像調整回路７２から出力される第１の画像データ３及び第２の画像ソース２を経て第２画像調整回路７４から出力される第２の画像データ４は、画像出力部８０を介して表示データ６としてフロント表示部７へ出力される。フロント表示部７の（左側）助手席観察者及び（右側）運転席観察者は、フロント表示部７との相対的位置に応じて、換言すれば表示部７に対する視野角に応じて、第１の表示画像８及び第２の表示画像９を実質的に同時に見ることができ、しかも各々の表示画像８、９は表示部７の表示面全体に渡ってみることができる。例えば、第１の画像データ３を第１デコーダ部５１でデコードされた第１チャンネルの映像データとし、第２の画像データ４を第２デコーダ部５６でデコードされた第２チャンネルの映像データとすると、それらは画像出力部８０に供給され、それらが表示部７で実質的に同時に表示できるように処理される。即ち、助手席側では第１チャンネルを観察でき、運転席側では第２チャンネルを観察することができる。なお、第１の画像データ３を第１デコーダ部５１でデコードされた第１チャンネルの映像データとし、第２の画像データをナビゲーション用の画像等とすることも可能である。
【００４５】
フロント表示部７は、後述する視差バリアを備えた液晶パネル等で構成される。フロント表示部７の横方向の総画素の半数が第１の画像ソース１に基づく第１の表示画像８の表示に、残りの半数の画素が第２の画像ソース２に基づく第２の表示画像９の表示に使用される。フロンと表示部７に対して左側に位置する観察者には、第１の表示画像８に対応する画素のみが見え、第２の表示画像９は表示部７の表面に形成されている視差バリアによって遮られて実質的に見えない。一方、表示部７に対して右側に位置する観察者には、第２の表示画像９に対応する画素のみが見え、第１の表示画像８は視差バリアにより遮られて実質的に見えない。係る構成により、単一の画面で左右の利用者に異なる情報やコンテンツを提供することができる。もちろん、第１、第２の画像ソースが同じであれば、従来通り左右の利用者が同じ画像を見ることもできる。
【００４６】
図３は、フロント表示部７の断面構造の概略図である。
【００４７】
図３に示すように、１７０は液晶パネル、１７２はタッチパネル、１７４はバックライト、１０２は液晶パネルのバックライト側に設置された偏光板、１０３は液晶パネルの発光方向側の前面に配置された偏光板、１０４はＴＦＴ(Thin Film Transistor)基板、１０５は液晶層、１０６はカラーフィルタ基板、１０７はガラス基板、１０８は視差バリアである。液晶パネル１００は、ＴＦＴ基板１０４とそれに対向して配置されるカラーフィルタ基板１０６の間に液晶層１０５を挟持した一対の基板と、その発光方向側の前面に配置された視差バリア１０８とガラス基板１０７とを、２枚の偏光板１０２及び１０３の間に挟んだ構成となっており、バックライト１０１からやや離隔して配設される。また、液晶パネル１００は、ＲＧＢ色（三原色）で構成される画素を有する。
【００４８】
液晶パネル１７０の各画素は、左側（助手席側）表示用と、右側（運転席側）表示用に分けられて表示制御される。そして、左側（助手席側）表示用画素は、視差バリア１０８により右側（運転席側）への表示は遮断され、左側（助手席側）からは見えるようになっている。また、右側（運転席側）表示用画素は、視差バリア１０８により左側（助手席側）への表示が遮断され、右側（運転席側）からは見えるようになっている。これによって、例えば運転者と助手席同乗者に異なった表示を提供することが可能となる。つまり、運転者にはナビゲーションの地図情報９を与え、同時に助手席同乗者にはＤＶＤの映画等８を見せることが可能となる。なお、視差バリア１０８、前記液晶パネルの各画素の構成を変更すれば、３方向等、複数方向に異なった画像を表示する構成も可能である。
【００４９】
図４は、液晶パネル１７０を正面から見た構造の概略図である。
【００５０】
なお、図３は図４中のＡ−Ａ′断面に相当する。図４において、１０９は左側（助手席側）表示用の画素、１１０は右側（運転席側）表示用の画素である。図３及び図４は、例えば横方向に８００画素、縦方向に４８０画素並べられた液晶パネル１７０の一部を表す。左側（助手席側）表示用の画素１０９と右側（運転席側）表示用の画素１１０は縦方向にグループ化され、交互に並んでいる。視差バリア１０８は、横方向にある間隔で配置され、縦方向には一様である。これによって、左側から表示パネルを見ると、視差バリア１０８が右側用画素１１０を覆い隠して、左側用画素１０９が見える。また同様に右側から見ると、視差バリア１０８が左側用画素１０９を覆い隠して、右側用画素１１０が見える。さらに正面付近では、左側用画素１０９と右側用画素１１０の両方が見えるため、左側表示画像と右側表示画像とが実質的に重なって見える。ここで、図４中の交互に並んだ左側用画素１０９及び右側用画素１１０は、図３のようにＲＧＢ色を有しているが、各グループ縦方向内は、Ｒ列、Ｇ列、Ｂ列のように単色で構成されていてもよいし、ＲＧＢが複数混じった列として構成されていてもよい。
【００５１】
図５はＴＦＴ基板１０４の概略を示す回路図である。
【００５２】
図５において、１１１は表示パネル駆動部、１１２は走査線駆動回路、１１３はデータ線駆動回路、１１４はＴＦＴ素子、１１５〜１１８はデータ線、１１９〜１２１は走査線、１２２は画素電極、１２３はサブピクセルである。図５に示すように、サブピクセル１２３は各データ線１１５〜１１８及び各走査線１１９〜１２１によって囲まれた領域を一単位とし、複数形成される。各サブピクセルには、液晶層１０５に電圧を印加する画素電極１２２とそれをスイッチング制御するＴＦＴ素子１１４が形成されている。表示パネル駆動部１１１は走査線駆動回路１１２及びデータ線駆動回路１１３の駆動タイミングを制御する。走査線駆動回路１１２はＴＦＴ素子１１４の選択走査を行い、またデータ線駆動回路１１３は画素電極１２２への印加電圧を制御する。
【００５３】
前記複数のサブピクセルは、第１の画像データと第２の画像データの合成データもしくは、第１と第２の個々の画像データに基づいて、例えばデータ線１１５と１１７に第１の画素データ（左側画像表示用）を、またデータ線１１６と１１８に第２の画素データ（右側画像表示用）を送信することよって、第１の画像を表示する第１の画像データ群と第２の画像を表示する第２の画像データ群が形成される。
【００５４】
図６は、ダイバーシチ部の機能を説明するための図である。
【００５５】
図６（ａ）は、第１ＦＦＴ部３２からの信号と第２ＦＦＴ部３７からの信号を最大比合成して、第１ＯＦＤＭ復調部５０へ出力する場合を示している。図６（ａ）の場合では、第１及び第２ＲＦ／ＩＦ処理部３０及び３５が同じ放送チャンネルに同調し、同じ放送チャンネルの受信信号を最大比合成することによって、より感度のより受信信号を得ることができる。なお、最大比合成された信号を第２ＯＦＤＭ復調器５５へ出力しても、また最大比合成された信号を第１及び第２ＯＦＤＭ復調器５０及び５５へそれぞれ出力するように構成しても良い。
【００５６】
図６（ｂ）は、第１ＦＦＴ部３２からの信号は第１ＯＦＤＭ復調器５０へ出力し、第２ＦＦＴ部３７からの信号は第２ＯＦＤＭ復調器５５へ出力するようにし、最大比合成を行わないようにした場合を示している。図６（ｂ）の場合、第１及び第２ＲＦ／ＩＦ処理部３０及び３５が同じ放送チャンネルに同調していても良いし、違う放送チャンネルに同調するようにしても良い。なお、第１及び第２ＲＦ／ＩＦ処理部３０及び３５が違う放送チャンネルに同調されている場合、違う放送チャンネルの映像等を得ることができる。
【００５７】
ダイバーシチ部４０は、後述する制御フローに従って、制御部９０によって、図６（ａ）及び図６（ｂ）の何れか一方に切換制御される。
【００５８】
図７は、第１系統（第１減衰器１０及び第２減衰器１２を含む系統）における減衰率を決定するための制御フローの一例を示す図である。
【００５９】
図７に示す制御フローは、制御部９０が、予めインストールされたプログラムに従い、デジタルデータ受信機１００の各要素と連携して実行する。また、この処理は、デジタルデータ受信機１００の電源がＯＮされ、各種機能が動作可能な状況で繰り返し実行される。
【００６０】
さらに、第１減衰器の第１減衰率及び第２減衰器の第２減衰率は、例えば、ともに５０％に設定されているものとする。即ち、第１のアンテナ１１０からの受信信号の５０％と第２のアンテナ１１２からの受信信号の５０％とが合成されているものとする。
【００６１】
最初に、制御部９０は、第１レベル検知部３１から第１レベル信号を取得し（Ｓ７０１）、予め定めた閾値以下かどうかの判断を行う（Ｓ７０２）。
【００６２】
レベル信号が閾値より大きい場合、受信状態が良好であると判断し、そのままの減衰率を維持し、一旦、この処理を終了する。
【００６３】
Ｓ７０２で第１レベル信号が閾値以下（受信状態が悪い）と判断された場合、制御部９０は、後述する時定数データ及び制御量データを記憶部９２から取得し（Ｓ７０３）、取得した時定数データ及び制御量データに応じて、第１減衰率を増加させ且つ第２減衰率を減少させる（Ｓ７０４）。即ち、まずは、第２アンテナからの信号分を増加するように、減衰率を制御する。
【００６４】
次に、制御部９０は、再度、第１レベル検知部３１から第１レベル信号を取得し（Ｓ７０５）、Ｓ７０１で取得したレベル信号より改善されているか否かの判断を行う（Ｓ７０６）。
【００６５】
Ｓ７０６で、第１レベル信号が改善されていると判断された場合、第２アンテナからの信号分を増加する制御が正しかったことなる。そこで、Ｓ７０２へ戻って、Ｓ７０５で取得した第１レベル信号が閾値以下かどうかの判断を行い、依然閾値以下であれば、さらに第２アンテナからの信号分を増加するように、減衰率を制御する（Ｓ７０４）。以下このようなステップを繰り返す。
【００６６】
Ｓ７０６で、第１レベル信号が改善されていないと判断された場合、第２アンテナからの信号分を増加する制御が正しくなかったこととなるので、逆に第１アンテナからの信号を増加する制御を行う。即ち、後述する時定数データ及び制御量データを記憶部９２から取得し（Ｓ７０７）、取得した時定数データ及び制御量データに応じて、第１減衰率を減少させ且つ第２減衰率を増加させる（Ｓ７０８）。即ち、第１アンテナからの信号分を増加するように、減衰率を制御する。
【００６７】
次に、制御部９０は、再度、第１レベル検知部３１から第１レベル信号を取得し（Ｓ７０９）、前回取得したレベル信号より改善されているか否かの判断を行う（Ｓ７１０）。
【００６８】
Ｓ７１０で、第１レベル信号が改善されていると判断された場合、第１アンテナからの信号分を増加する制御が正しかったことなる。そこで、Ｓ７１１へ戻って、Ｓ７０９で取得した第１レベル信号が閾値以下かどうかの判断を行い、依然閾値以下であれば、さらに第１アンテナからの信号分を増加するように、減衰率を制御する（Ｓ７０７）。以下このようなステップを繰り返す。
【００６９】
Ｓ７１０で、第１レベル信号が改善されていないと判断された場合、第１アンテナからの信号分を増加する制御が正しくなかったこととなるので、逆に第２アンテナからの信号を増加するようにＳ７０３〜Ｓ７０６のステップを行う。
【００７０】
Ｓ７１１で、Ｓ７０９で取得した第１レベル信号が閾値より大きい場合、受信状態が良好であると判断し、そのままの減衰率を維持し、一旦この処理を終了する。
【００７１】
図７の例では、第１レベル検知部３１から第１レベル信号に応じて、減衰率を制御するようにしたが、第１ＯＦＤＭ復調部５０から出力される訂正エラー信号、ＢＥＲ信号、ＣＮＲ信号に基づいて、減衰率を制御するようしても良い。
【００７２】
図８に、図７のフローにおける減衰率の切換の一例を示す。
【００７３】
図８は、動的に減衰率を切り換える例として、第１減衰器１０の第１減衰率８０１と第２減衰器１２の第２減衰率８０２を示した。時間ｔ１はデジタルデータ受信機の初期状態（電源ＯＮ時）を示し、初期状態では、第１減衰率５０％及び第２減衰率５０％に設定されている。即ち、この場合、個々に減衰率は５％毎に２１段階に設定されることとなる。また、第１の減衰率と第２の減衰率の合計は常に１００％に設定されている。
【００７４】
また、時間ｔ１〜ｔ２では時定数ｐ１（例えば、１００ｍｓ）及び制御量ｓ１（例えば、５％）に設定され、時間ｔ２〜ｔ３では時定数ｐ２（例えば、５０ｍｓ）及び制御量Ｓ７（１０％）に設定されている。即ち、この場合、減衰率は１０％毎に１１段階に設定されることになる。また、第１の減衰率と第２の減衰率の合計は常に１００％に設定されている。
【００７５】
図８に示すように、時定数ｐ１及びｐ２は、減衰率を切り換える期間に関するデータであって、時定数を長く設定すれば、ゆっくりとしたアンテナ切換となる（例えば、時間ｔ２〜ｔ３）。逆に、時定数を短く設定すれば、早いアンテナ切換となる（例えば、時間ｔ３〜ｔ２）。
【００７６】
また、図８に示すように、制御量ｓ１及びＳ７は、減衰率を切り換えるステップ幅に関するデータであって、制御量を小さく設定すれば、ゆっくりとしたアンテナ切換となる（例えば、時間ｔ２〜ｔ３）。逆に、制御量を大きく設定すれば、早いアンテナ切換となる（例えば、時間ｔ３〜ｔ２）。
【００７７】
さらに、図８の例では、時定数及び／又は制御量を、第１レベル信号の強度に応じて２段階に変更されるように設定した。即ち、第１レベル信号の強度が大きい場合には、時定数が短く且つ制御量が短くなるように変更する（ｔ２〜ｔ３参照）。第１レベル信号の強度が大きい場合には、その後、受信状態が大きく変化する可能性があることから、変化に早く対応するためである。第１レベル信号の強度が小さい場合には、時定数を長く及び制御量が小さくなるように変更する（ｔ１〜ｔ２）。時定数及び制御量の変更は、第１レベル検知部３１からの第１レベル信号に基づいて制御部９０が記憶部９２に予め記憶されているデータを選択することによって実行される。なお、図８の場合では、時間ｔ２において、レベル検知部３２からの信号に基づいて、制御部９０が時定数及び制御量の変更を行った。
【００７８】
また、時定数及び／又は制御量は、固定しても良いし、ユーザがリモコン１９０等を利用して時定数及び制御量を独自に設定できるようにしても良いし、他の信号に応じて動的に変更するように設定しても良い。
【００７９】
このように、減衰器の減衰率を徐々に変化させることによって、複数のアンテナからの復調前の受信信号を徐々に切り換え、デジタルデータ受信機であっても、信号の連続性を損なわずに、最適なアンテナからの信号の有効利用を可能とするものである。
【００８０】
図７及び８を用いて、第１系統に関する減衰率の制御フローについて説明したが、第２系統（第３減衰器１４及び第４減衰器１６を含む系統）についても同様であるので、説明を省略する。
【００８１】
図８の例では、減衰器の減衰率をデジタル的に（段階的に）徐々に変化させる例について説明したが、減衰器の減衰率は、アナログ的に（無段階的に）変化させるように構成しても良い。
【００８２】
図９は、ダイバーシチ部の切換制御フローの一例を示す図である。
【００８３】
図９に示す制御フローは、制御部９０が、予めインストールされたプログラムに従い、デジタルデータ受信機１００の各要素と連携して実行する。また、デジタルデータ受信機１００は、電源がＯＮされ、各種機能が動作可能な状況で繰り返し実行される。
【００８４】
最初に、制御部９０は、ユーザ設定がなされているか否かの判断を行う（Ｓ９０１）。ユーザは、フロント表示部７のタッチパネル１７２又はリモコン１９０等によって、強制的に最大比合成を行うように設定することができる。
【００８５】
ユーザによる強制設定がなされていない場合、制御部９０は、第１レベル検知部からの第１レベル信号及び第２レベル検知部からの第２レベル信号を取得する（Ｓ９０２）。
【００８６】
次に、制御部９０は、取得した第１レベル信号及び第２レベル信号の何れかが、予め設定された閾値以下であるか否かの判断を行う（Ｓ９０３）。
【００８７】
Ｓ９０３において、取得した第１レベル信号及び第２レベル信号が両方とも閾値より大きい場合、制御部９０は、最大比合成を実行しないことを決定し、ダイバーシチ部４０を図６（ｂ）に示すように切り換える（Ｓ９０４）。
【００８８】
次に、制御部９０は、フロント制御部７に対して、第１の表示画像３（図２参照）として第１ＯＦＤＭ復調部５０から出力される放送チャンネルの映像が助手席側のみに表示され、第２の表示画像９（図２参照）として第２ＯＦＤＭ復調部５５から出力される放送チャンネルの映像が運転席側のみに表示されるように、分配回路６０、第１画像調整回路７２、第２画像調整回路７４及び画像出力回路８０を制御する（Ｓ９０５）。
【００８９】
さらに、制御部９０は、リア表示部１８０に対して、予め設定されている第１ＯＦＤＭ復調部５０から出力される放送チャンネルの映像又は第２ＯＦＤＭ復調部５５から出力される放送チャンネルの映像が表示されるように、分配回路６０、第１画像調整回路７２、第２画像調整回路７４及び画像出力回路８０を制御する（Ｓ９０６）。
【００９０】
また、制御部９０は、Ｓ９０１でユーザによる強制設定がなされている場合又はＳ９０３で取得した第１レベル信号及び第２レベル信号の何れかが予め設定された閾値以下である場合、最大比合成を実行することを決定し、ダイバーシチ部４０を図６（ａ）に示すように切り換える（Ｓ９０７）。
【００９１】
次に、制御部９０は、フロント制御部７に対して、第１の表示画像３（図２参照）及び第２の表示画像９（図２参照）として、最大比合成された第１ＯＦＤＭ復調部５０から出力される放送チャンネルの映像が表示されるように、分配回路６０、第１画像調整回路７２、第２画像調整回路７４及び画像出力回路８０を制御する（Ｓ９０８）。即ち、この場合、助手席側及び運転席側では、同じ映像が表示される。
【００９２】
さらに、制御部９０は、リア表示部１８０に対して、Ｓ９０８において、フロント表示部７に表示される画像と同じ映像が表示されるように、分配回路６０、第１画像調整回路７２、第２画像調整回路７４及び画像出力回路８０を制御する（Ｓ９０９）。
【００９３】
制御部９０は、図９に示す制御フローを所定タイミングで繰返し行う。このように、制御部９０は、第１レベル信号及び第２レベル信号に応じて、ダイバーシチ部４０の切換制御を行って、受信感度が悪い場合には、最大比合成を行って、常に受信感度を上げるように動作している。
【００９４】
なお、図９の例では、第１レベル信号及び第２レベル信号が両方とも閾値より大きい場合には最大比合成を実行しないようにしたが、第１レベル信号及び第２レベル信号が両方とも閾値以下の場合にのみ最大比合成を行うように構成しても良いし、予め定めた第１レベル信号及び第２レベル信号の何れか一方のみを基準として最大比合成を実行するか否かを判断するようにしても良い。さらに、第１レベル信号及び第２レベル信号の代わりに、第１及び第２ＯＦＤＭ復調部５０及び５５から出力される訂正エラー信号、ＢＥＲ信号、ＣＮＲ信号に基づいて、最大比合成を実行するか否かを判断するようにしても良い。また、第１レベル信号及び第２レベル信号の代わりに、第１及び第２デコード部５１及び５６から出力されるデコードエラー信号に基づいて、最大比合成を実行するか否かを判断するようにしても良い。
【００９５】
図１０は、本発明に係わる他のデジタルデータ受信機２００の概要を示すブロック図である。
【００９６】
図１０に示すデジタルデータ受信機２００と図１に示すデジタルデータ受信機１００との差異は、デジタルデータ受信機２００がデュアルビュー表示装置であるフロント表示部７ではなく、通常のフロント表示部１７５と接続されている点である。なお、デジタルデータ受信機２００における他の構成要素は、デジタルデータ受信機１００と同様であるので、説明を省略する。また、デジタルデータ受信機２００における第１減衰器１０〜第４減衰器１６の制御フローもデジタルデータ受信機１００と同様であるので、説明を省略する。
【００９７】
図１１は、図１０に示すデジタルデータ受信機２００におけるダイバーシチ部の切換制御フローの一例を示す図である。
【００９８】
図１１に示す制御フローは、制御部９０が、予めインストールされたプログラムに従い、デジタルデータ受信機２００の各要素と連携して実行する。また、デジタルデータ受信機２００は、電源がＯＮされ、各種機能が動作可能な状況であるものとする。
【００９９】
図１１におけるＳ１１０１〜Ｓ１１０３は、図９に示すＳ９０１〜Ｓ９０３と同様であるので、説明を省略する。
【０１００】
Ｓ１１０３において、取得した第１レベル信号及び第２レベル信号が両方とも閾値より大きい場合、制御部９０は、最大比合成を実行しないことを決定し、ダイバーシチ部４０を図６（ｂ）に示すように切り換える（Ｓ１１０４）。
【０１０１】
次に、制御部９０は、フロント表示部１７５に対して、第１ＯＦＤＭ復調部５０から出力される放送チャンネルの映像が表示されるように、分配回路６０、第１画像調整回路７２、第２画像調整回路７４及び画像出力回路８０を制御する（Ｓ１１０５）。
【０１０２】
さらに、制御部９０は、リア表示部１８０に対して、第２ＯＦＤＭ復調部５５から出力される放送チャンネルの映像が表示されるように、分配回路６０、第１画像調整回路７２、第２画像調整回路７４及び画像出力回路８０を制御する（Ｓ１１０６）。
【０１０３】
また、制御部９０は、Ｓ１１０１でユーザによる強制設定がなされている場合又はＳ１１０３で取得した第１レベル信号及び第２レベル信号の何れかが予め設定された閾値以下である場合、最大比合成を実行することを決定し、ダイバーシチ部４０を図６（ａ）に示すように切り換える（Ｓ１１０７）。
【０１０４】
次に、制御部９０は、フロント表示部１７５に対して、最大比合成された第１ＯＦＤＭ復調部５０から出力される放送チャンネルの映像が表示されるように、分配回路６０、第１画像調整回路７２、第２画像調整回路７４及び画像出力回路８０を制御する（Ｓ１１０８）。即ち、この場合、助手席側及び運転席側では、同じ映像が表示される。
【０１０５】
さらに、制御部９０は、リア表示部１８０に対して、Ｓ９０８において、フロント表示部７に表示される画像と同じ映像が表示されるように、分配回路６０、第１画像調整回路７２、第２画像調整回路７４及び画像出力回路８０を制御する（Ｓ１１０９）。
【０１０６】
制御部９０は、図１１に示す制御フローを所定タイミングで繰返し行う。このように、制御部９０は、第１レベル信号及び第２レベル信号に応じてダイバーシチ部４０の切換制御を行い、受信感度が悪い場合には、最大比合成を行って、常に受信感度を上げるように動作している。
【０１０７】
図１２は、フロント表示部１７５への他の表示例を示す図である。
【０１０８】
図１１の例では、最大比合成を実行しない場合には、制御部９０は、フロント表示部１７５に第１ＯＦＤＭ復調部５０から出力される放送チャンネルの映像のみが表示されるように制御した。しかしながら、制御部９０は、第１ＯＦＤＭ復調部５０から出力される放送チャンネルの映像（第１の表示画像）１２０１と第２ＯＦＤＭ復調部５５から出力される放送チャンネルの映像（第２の表示画像）１２０２を合成して、１画面の左右に２映像が表示されるように構成しても良い（図１２（ａ）参照）。
【０１０９】
また、制御部９０は、第１ＯＦＤＭ復調部５０から出力される放送チャンネルの映像（第１の表示画像）１２０１と第２ＯＦＤＭ復調部５５から出力される放送チャンネルの映像（第２の表示画像）１２０２を合成して、一方を画面全体に表示し、他方を縮小して２映像が表示されるように構成しても良い（図１２（ｂ）参照）。
【０１１０】
さらに、図１２（ｂ）のようにフロント表示部１７５で表示を行う場合、まずは、第１系統を用いて、第１ＯＦＤＭ復調部５０から出力されるデータによって、ユーザが選択したチャンネルの映像を第１の表示画像１２０１として画面全体に表示させる。次いで、第２系統を用いて、第２ＯＦＤＭ復調部５５から出力されるデータによって、現在放送されている他のチャンネルの映像のサーチを行い、サーチ結果によって得られた映像を順次（例えば、３０秒毎）第２の表示画像１２０２として縮小して表示するように構成することもできる。
【０１１１】
さらに、図１２（ｂ）のようにフロント表示部１７５で表示を行う場合、まずは、第１系統を用いて、第１ＯＦＤＭ復調部５０から出力されるデータによって、ユーザが選択したチャンネルの映像を第１の表示画像１２０１として画面全体に表示させる。次いで、第２系統を用いて、第２ＯＦＤＭ復調部５５から出力されるデータによって、ユーザが予め録画予約をしたチャンネルの映像を、第２の表示画像１２０２として縮小して表示するように構成することもできる。この場合において、番組予約時間が到来したら、第１の表示画面１２０１と第２の表示画面１２０２とを入れ替えるように構成することもできる。また、番組予約時間が到来したら、第２の表示画面１２０２のみを画面全体に表示させるように構成することもできる。さらに、番組予約時間が到来したら、第１の表示画像１２０１を画面全体に表示させ、ＨＤＤ９４を用いて番組を録画するように構成することもできる。なお、録画予約は、第１及び第２デコーダ部５１及び５６から出力されるＥＰＧ（番組案内情報）データを用い、リモコン１９０を利用することによってユーザが設定できるように構成することができる。
【０１１２】
図１３は、図１０に示すデジタルデータ受信機２００におけるダイバーシチ部の切換制御フローの他の例を示す図である。
【０１１３】
図１３に示す制御フローは、制御部９０が、予めインストールされたプログラムに従い、デジタルデータ受信機２００の各要素と連携して実行する。また、デジタルデータ受信機２００は、電源がＯＮされ、各種機能が動作可能な状況で繰り返し実行される。
【０１１４】
最初に、制御部９０は、フロント表示部スイッチ１２０がＯＮされているか否かを判断する（Ｓ１３０１）。
【０１１５】
フロント表示部スイッチ１２０がＯＮされている場合、次に、制御部９０は、リア表示部スイッチ１３０がＯＮされているか否かを判断する（Ｓ１３０２）。
【０１１６】
制御部９０は、フロント表示部スイッチ１２０及びリア表示部スイッチがＯＮされている場合（フロント表示部１７５及びリア表示部１８０が表示可能な場合）、最大比合成を実行しないことを決定し、ダイバーシチ部４０を図６（ｂ）に示すように切り換え（Ｓ１３０３）、フロント表示部１７５に対して、第１ＯＦＤＭ復調部５０から出力されるチャンネルの映像が表示されるように、分配回路６０、第１画像調整回路７２、第２画像調整回路７４及び画像出力回路８０を制御し（Ｓ１３０４）、リア表示部１８０に対して、第２ＯＦＤＭ復調部５５から出力されるチャンネルの映像が表示されるように、分配回路６０、第１画像調整回路７２、第２画像調整回路７４及び画像出力回路８０を制御する（Ｓ１３０５）。
【０１１７】
制御部９０は、フロント表示部スイッチ１２０がＯＮ及びリア表示部スイッチがＯＦＦされている場合（フロント表示部１７５のみ表示可能な場合）、最大比合成を実行することを決定し、ダイバーシチ部４０を図６（ａ）に示すように切り換え（Ｓ１３０６）、フロント表示部１７５に対して、第１ＯＦＤＭ復調部５０から出力される放送チャンネルの映像が表示されるように、分配回路６０、第１画像調整回路７２、第２画像調整回路７４及び画像出力回路８０を制御し（Ｓ１３０７）、リア表示部１８０に対しては表示を行わないように制御する（Ｓ１３０８）。
【０１１８】
フロント表示部スイッチ１２０がＯＦＦの場合、次に、制御部９０は、リア表示部スイッチ１３０がＯＮされているか否かを判断する（Ｓ１３０９）。
【０１１９】
制御部９０は、フロント表示部スイッチ１２０がＯＦＦ及びリア表示部スイッチがＯＮされている場合（リア表示部１８０のみが表示可能な場合）、最大比合成を実行することを決定し、ダイバーシチ部４０を図６（ａ）に示すように切り換え（Ｓ１３１０）、フロント表示部１７５に対しては表示を行わないように制御し（Ｓ１３１１）、リア表示部１８０に対して、第１ＯＦＤＭ復調部５０から出力される放送チャンネルの映像が表示されるように、分配回路６０、第１画像調整回路７２、第２画像調整回路７４及び画像出力回路８０を制御する（Ｓ１３１２）。
【０１２０】
制御部９０は、フロント表示部スイッチ１２０及びリア表示部スイッチがＯＦＦされている場合（フロント表示部１７５及びリア表示部１８０が両方とも表示不可の場合）、最大比合成を実行しないことを決定し、ダイバーシチ部４０を図６（ｂ）に示すように切り換え（Ｓ１３１３）、フロント表示部１７５に対しては表示を行わないように制御し（Ｓ１３１４）、リア表示部１８０に対しても表示を行わないように制御する（Ｓ１３１５）。
【０１２１】
なお、イグニッションキーに連動して、フロント表示部１７５がＯＮされる車両の場合には、フロント表示部スイッチ１２０の代わりに、イグニッションキーの有無を検知するイグニッションキー検知部を利用することもできる。
【０１２２】
図１３に示す例では、フロント表示部１７５及びリア表示部１８０のＯＮ／ＯＦＦに応じて、最大比合成を行うか否かを判断したが、フロント表示部１７５及びリア表示部１８０においてユーザが選択するチャンネルに応じて、最大比合成を行うか否かを判断することもできる。例えば、フロント表示部１７５及びリア表示部１８０でそれぞれ選択されるチャンネルが同じ場合には最大比合成を行い、フロント表示部１７５及びリア表示部１８０でそれぞれ選択されるチャンネルが異なる場合には最大比合成を行わないように制御することができる。
【０１２３】
また、図１３に示す例では、フロント表示部１７５及びリア表示部１８０のＯＮ／ＯＦＦに応じて、最大比合成を行うか否かを判断したが、デジタルデータ受信機２００に接続される表示部の数に応じて、最大比合成を行うか否かを判断することもできる。例えば、デジタルデータ受信機２００が有する系統（例えば２系統）以上の表示部（例えば２台）が、デジタルデータ受信機２００に接続されている場合には、最大比合成を行わないように制御し、デジタルデータ受信機２００が有する系統（例えば１系統）未満の表示部（例えば１台）が、デジタルデータ受信機２００に接続されている場合には、最大比合成を行うように制御することができる。
【図面の簡単な説明】
【０１２４】
【図１】本発明に係るデジタルデータ受信機の概要を示すブロック図である。
【図２】フロント表示部の概念図である。
【図３】フロント表示部の断面構造の概略図である。
【図４】液晶パネルの概略正面図である。
【図５】ＴＦＴ基板の概略を示す図である。
【図６】ダイバーシチ部の機能を説明するための図である。
【図７】減衰率の制御フローの一例を示す図である。
【図８】減衰率の切換の一例を示す図である。
【図９】ダイバーシチ部の制御フローの一例を示す図である。
【図１０】本発明に係る他のデジタルデータ受信機の概要を示すブロック図である。
【図１１】ダイバーシチ部の制御フローの他の例を示す図である。
【図１２】フロント表示部の表示例を示す図である。
【図１３】ダイバーシチ部の制御フローの更に他のを示す図である。
【符号の説明】
【０１２５】
１０    第１減衰器
１２    第２減衰器
１４    第３減衰器
１６    第４減衰器
２０    第１合成部
２２    第２合成部
３１    第１レベル検知部
３６    第２レベル検知部
４０    ダイバーシチ部
５０    第１ＯＦＤＭ復調部
５５    第２ＯＦＤＭ復調部
９０    制御部
９２    記憶部
１１０    第１アンテナ
１１２    第２アンテナ
１１４    第３アンテナ
１１６    第４アンテナ
１２０    フロント表示部スイッチ
１３０    リア表示部スイッチ
７、１７５    フロント表示部
１８０    リア表示部
【図１】
2007166188.tif 000003
【図２】
2007166188.tif 000004
【図３】
2007166188.tif 000005
【図４】
2007166188.tif 000006
【図５】
2007166188.tif 000007
【図６】
2007166188.tif 000008
【図７】
2007166188.tif 000009
【図８】
2007166188.tif 000010
【図９】
2007166188.tif 000011
【図１０】
2007166188.tif 000012
【図１１】
2007166188.tif 000013
【図１２】
2007166188.tif 000014
【図１３】
2007166188.tif 000015